(57)【要約】      （修正有）【課題】排尿装置に関し、特に、使用者に快適に排尿させ、且つ排尿装置の衛生を保持する椅子体に用いる排尿装置を提供する。【解決手段】椅子体２に用いる排尿装置は、椅子体の使用者を座らせる下方に組み付けられ、導尿溝１１を凹設し、導尿溝の溝底が傾斜設置され、且つ導尿溝の溝底に相互に連通する排尿孔を貫通設置する排尿盤１と、排尿孔に組み付けられ、且つ導尿溝と相互に連通する回収容器と、を含む。【選択図】図１
0003191804.tif 000002
【実用新案登録請求の範囲】
【請求項１】
椅子体の使用者を座らせる下方に組み付けられ、導尿溝を凹設し、該導尿溝の溝底が傾斜設置され、且つ導尿溝の溝底に相互に連通する排尿孔を貫通設置する排尿盤と、
排尿孔に組み付けられ、且つ導尿溝と相互に連通する回収容器と、
を含む椅子体に用いる排尿装置。
【請求項２】
前記導尿溝は、高位側及び低位側を有し、排尿孔が低位側に位置する請求項１に記載の椅子体に用いる排尿装置。
【請求項３】
前記排尿盤は、底板及び底板両側に組み付けられる２つの側板を含み、導尿溝は、底板及び該２つの側板に囲われて形成され、各側板は、導尿溝の溝口から底板方向へ傾斜設置され、導尿溝の該２つの側板の間の距離を高位側から低位側へ徐々に縮小させ、該排尿孔は、底板の低位側に位置する請求項２に記載の椅子体に用いる排尿装置。
【請求項４】
洗浄組を更に含み、該洗浄組は、椅子体に組み付けられ、且つ洗浄組は、排尿盤の排尿孔を設ける相対側に位置し、洗浄組は、導尿溝を洗浄することができる請求項１に記載の椅子体に用いる排尿装置。
【請求項５】
前記洗浄組は、蓄水タンク及び蓄水タンクと連通するノズルを含み、該ノズルは、椅子体から導尿溝内に貫通設置され、且つノズルは、排尿盤の排尿孔を設ける相対側に組み付けられる請求項４に記載の椅子体に用いる排尿装置。
【請求項６】
更に、噴水スイッチを含み、椅子体の肘掛に組み付けられ、且つ噴水スイッチは、蓄水タンクに電気接続し、ノズルの噴水を起動する請求項５に記載の椅子体に用いる排尿装置。
【考案の詳細な説明】
【技術分野】
【０００１】
本考案は、排尿装置に関し、特に、使用者に快適に排尿させ、且つ排尿装置の衛生を保持する椅子体に用いる排尿装置に関する。
【背景技術】
【０００２】
科学技術の絶え間ない進歩に従い、現在は、医療設備が完備され、人口が徐々に高齢化しているが、人体の生理機能は、年齢の増加に伴って退化するものである。生理機能の弱化は、高齢人口に徐々に行動能力を失わせ、更には、補助工具に頼って生活を維持する必要がある。
【０００３】
人体は、常に老廃物を排泄する必要があるが、行動が不便なものにとって、定点排泄は、最も完美なものであり、体力を浪費して身体を移動することを回避する以外に、移動速度が緩慢過ぎて排泄時間に影響を及ぼすことを回避し、中華民国専利公告第Ｍ４４７１９６号「折り畳みが容易な洗浄便器椅子」を参照すると、それは、便器を椅子等の座具と結合応用し、使用者に簡易な方式で用を足させることができ、行動が不便な身体をトイレまで往復させる必要がないようにすることができる。
【０００４】
従来技術の便器は、桶状構造であり、使用者の排泄物は、便器に直接累積され、定期的に便器桶を洗浄するものである。使用者がただ排尿するだけであれば、通常複数回の使用後、尿液が定量まで累積するのを待って便器筒を洗浄する。  
【０００５】
便器桶の開口は、直接上向きに使用者が座る箇所に向き合い、比較的長く累積された尿液は、臭いを使用者の方へ発散し、排泄時の快適性に影響を及ぼし、更に、排泄の過程において、古い排泄物が飛散し、使用者を非常に不衛生にさせる可能性があり、従って、衛生の追求の為、毎回、使用完了後に取り外し洗浄して、使用上の衛生及び快適感を維持しなければならない。
【０００６】
但し、毎回使用完了後に取り外し洗浄する必要があり、不便であり、洗浄しなければ、悪臭が累積し、使用上の衛生に影響を及ぼす。
【０００７】
従って、本考案者は、長年の経験及び研究を経て、ようやく洗浄に便利であり、且つ悪臭を累積して使用者の使用の心情に影響を及ぼすことがない椅子体に用いる排尿装置を提示する。
【先行技術文献】
【特許文献】
【０００８】
【特許文献１】特開２００７−１１１１５５号公報
【考案の概要】
【考案が解決しようとする課題】
【０００９】
本考案の目的は、尿液を密閉した容器中に導入し、従来の便器中の尿液が絶えず累積して悪臭を発生し、使用者の衛生及び快適性に影響を及ぼすことを改善することである。
【課題を解決するための手段】
【００１０】
上記目的及び効果を達成する為、本考案『椅子体に用いる排尿装置』は、椅子体の使用者が座る下方に組み付けられ、導尿溝を凹設し、該導尿溝の溝底は、傾斜設置され、且つ導尿溝は、溝底に相互に連通する排尿孔を貫通設置する排尿盤と、排尿孔に組み付けられ、且つ導尿溝と相互に連通する回収容器と、を含み、これにより、使用者が椅子体上に座って排泄する時、その排泄した尿液が、導尿溝において、導尿溝の溝底の傾斜の設置により、尿液を導尿溝に沿って排尿孔を介して回収容器内へ回収させる。
【００１１】
本考案の更なる技術特徴は、該導尿溝が高位側及び低位側を有し、排尿孔が低位側に位置し、該排尿盤が底板及び底板両側に組み付けられる２組の側板を含み、導尿溝が底板及び該２つの側板により囲われて形成され、各底板は、導尿溝の溝口から底板方向へ傾斜設置され、導尿溝を該２つの側板の間の距離において、高位側から低位側へ徐々に縮小させ、該排尿孔が底板の低位側に位置する。
【００１２】
本考案の更なる技術特徴は、更に、洗浄組を含み、該洗浄組は、椅子体に組み付けられ、且つ洗浄組が排尿盤の排尿孔を設ける相対側に位置し、洗浄組が導尿溝を洗浄でき、洗浄組は、蓄水タンク及び蓄水タンクと連通するノズルを含み、該ノズルは、椅子体から導尿溝内まで貫通設置され、且つノズルは、排尿盤の排尿孔を設ける相対側に組み付けられる。
【００１３】
本考案の更なる技術特徴は、更に、噴水スイッチを含み、それは、椅子体の肘掛に設置され、且つ噴水スイッチは、蓄水タンクに電気接続し、ノズル噴水を起動する。
【考案の効果】
【００１４】
本考案の椅子体に用いる排尿装置は、尿液を密閉した容器中に導入し、従来の便器中の尿液が絶えず累積して悪臭を発生し、使用者の衛生及び快適性に影響を及ぼすことを改善する。
【図面の簡単な説明】
【００１５】
【図１】本考案の立体図である。
【図２】本考案の分解図である。
【図３】本考案の局部立体図である。
【図４】本考案の局部断面側面図である。
【図５】本考案のノズル放水洗浄の局部断面側面図である。
【図６】本考案のカーシートに取り付けた局部断面側面図である。
【図７】本考案の一般シートに取り付けた局部断面側面図である。
【考案を実施するための形態】
【００１６】
本考案の上記目的及び効果を達成する為に採用する技術手段及び構造を分かり易くする為、図面を合わせ、実施例を挙げ、以下にその特徴及び効果を詳細に説明する。
【００１７】
図１〜図３に示すように、本考案の『椅子体に用いる排尿装置』は、椅子体２の使用者が座る下方に組み付けられ、導尿溝１１を凹設し、該導尿溝１１の溝底は、傾斜設置され、且つ導尿溝１１は、溝底に相互に連通する排尿孔１２を貫通設置する排尿盤１と、排尿孔１２に組み付けられ、且つ導尿溝１１と相互に連通する回収容器３と、を含み、回収容器３は、密閉式の容器であり、排尿孔１２と接続するただ１つの開口３１を有する。
【００１８】
図４を参照し、椅子体２のシートパッド２１は、開孔２２を有し、導尿溝１１の開口は、椅子体２のシートパッド２１の開孔２２を対応するので、使用者が排泄時、排泄した尿液は、開孔２２を経て導尿溝１１内に至り、且つ導尿溝１１は、傾斜設置され、尿液は、傾斜面に沿って排尿孔１２から回収容器内３内に至る。
【００１９】
故に、本考案の利点は、先ず、排泄した尿液が回収容器３内に流れて、保存され、導尿溝１１内を清潔に保持し、尿液を排泄時に従来技術のように累積した尿液を使用者に飛散させる欠陥を有さず、更に、回収容器３は、密閉式の桶であり、尿液の臭いは、回収容器３内に密閉され、飛散して環境に影響を及ぼすことがなく、使用者に快適且つ衛生的な排泄環境を享受させることができる。
【００２０】
前記は、本考案の実施例の主要技術特徴であり、それは、本願の特許請求の範囲第１項の内容に対応し、本考案の目的及び実施形態を詳細に理解することができ、その残りの従属特許請求の範囲に記載する技術特徴は、特許請求の範囲第１項の内容に対する詳細又は付加技術特徴であり、特許請求の範囲第１項の限定範囲を制限するものではなく、本考案の特許請求の範囲第１項は、必ずしもその従属特許請求の範囲に記載する技術特徴を含むものではない。
【００２１】
また、図２、図４に示すように、該導尿溝１１  は、高位側１１１及び低位側１１２を有し、図に示す高位側１１１は、椅子体２後方に対応し、低位側１１２は、椅子体２前方に対応し、排尿孔１２は、低位側１１２に位置し、排尿盤１は、底板１５及び底板１５両側に組み付けられる２組の側板１６を含み、導尿溝１１  は、底板１５及び該２つの側板１６に囲われて形成され、各側板１６は、導尿溝１１の溝口から底板１５方向へ傾斜設置され、導尿溝１１の該２つの側板１６の間の距離を高位側１１１から低位側１１２へ徐々に縮小させ、該排尿孔１２が底板１５上に位置する。この尿液が排尿盤１中にある時、尿液は、底板１５に沿って高位側１１１から低位側１１２へ流動し、排尿孔１２から回収容器３中に流入し、尿液が飛散する範囲は特定箇所に限らず、導尿溝１１側板１６に飛散する可能性もあるので、傾斜設置した側板１６が尿液を底板１５の方向へ流動するよう誘導し、尿液を導尿溝１１内に残留させることがない。
【００２２】
図５に示すように、排尿盤１を更に洗浄できるようにする為、本考案は、更に、洗浄組４を含み、該洗浄組４は、椅子体２を取り付け、且つ洗浄組４は、排尿盤１の排尿孔１２を設ける相対側に位置し、洗浄組４は、導尿溝１１を洗浄することができ、本実施例は、洗浄組４が椅子体２後方に取り付けられ、排尿孔１２が椅子体２前方に位置し、洗浄組４の細部技術特徴を更に説明し、該洗浄組４は、蓄水タンク４１及び蓄水タンク４１と連通するノズル４２を含み、該ノズル４２は、排尿盤１から導尿溝１１内まで貫通設置し、且つノズル４２は、排尿盤１の排尿孔１２を設ける相対側に組み付けられ、蓄水タンク４１中に水を保存し、本実施例中のノズル４２は、蓄水タンク４１と水管により接続し、従って、ノズル４２を使用して導尿溝１１を洗浄する時、該蓄水タンク４１中の水は、水管を経てノズル４２に流れて噴射して導尿溝１１を洗浄し、洗浄後の汚水が回収容器３内に流れ込んで保存されることができ、このように、使用者が車椅子に移動する時、水源のある場所を探して洗浄する必要がなく、ノズル４２を使用するだけで洗浄できる（本考案のノズル４２は、バルブを用いてスイッチにすることもでき、バルブの機構は、従来技術に属すので、ここでは更に説明しない）。
【００２３】
図５に示すように、使用者が椅子体２に座る時に便利である為、ノズル４２を直接開放し、導尿溝１１を洗浄し、噴水スイッチ５を更に含み、それは、椅子体２の肘掛２３に組み付けられ、且つ噴水スイッチ５は、蓄水タンク４１に電気接続し、ノズル４２の噴水を起動し、これに基づき、使用者は、ただ噴水スイッチ５を押圧するだけでノズル４２を使用して導尿溝１１を洗浄することができる。
【００２４】
使用者の異なる要求に応じて、本考案は、各種形態の椅子体２上に取り付けて使用することができ、図１に示すように、それは、車椅子に取り付けた応用であり、図６に示すように、本考案は、カーシート６上に取り付けられることもでき、図７に示すように、一般シート７上に取り付けられることもでき、使用者の利便性を向上する。
【００２５】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２６】
１  排尿盤
１１  導尿溝
１１１  高位側
１１２  低位側
１２  排尿孔
１５  底板
１６  側板
２  椅子体
２１  シートパッド
２２  開孔
２３  肘掛け
３  回収容器
３１  開口
４  洗浄組
４１  蓄水タンク
４２  ノズル
５  噴水スイッチ
６  カーシート
７  一般シート
【図１】
0003191804.tif 000003
【図２】
0003191804.tif 000004
【図３】
0003191804.tif 000005
【図４】
0003191804.tif 000006
【図５】
0003191804.tif 000007
【図６】
0003191804.tif 000008
【図７】
0003191804.tif 000009